(57)【要約】【課題】指輪等の輪状装身具を無段階にてサイズ変更可能とすると共に、輪を形成している多列チェーンの交換をも可能とした装飾性、趣味性に富んだ商品を提供する。【解決手段】装飾部の表面は装飾可能として、左右の側面に多列チェーン材を挿通させる互いに対向する挿入口を設けると共に、該挿入口のどちらかの真下にピンとコイルスプリングを有して取り外し可能な心棒と、上下側面に該心棒を保持する互いに対向する保持孔を設けると共に、前記心棒に多列チェーンの一端に取り付けた環又はパイプを通して多列チェーンを接続できると共に、背面適宜位置には前記挿入口と平行に多列チェーンを挿通できる間隔の背面に対して直立した互いに対向する柱部を有し、該柱部上部に鍔部を設けて略コの字状の部材とすると共に、該部材の外側に配する多列チェーンを締め付ける２個の弾性体から形成されるリング状弾性体とを有してなるものである。                  【選択図】図８
0003109556.tif 000002
【実用新案登録請求の範囲】
【請求項１】
装飾部の表面は装飾可能として、左右の側面に多列チェーンを挿通させる互いに対向する挿入口を設けると共に、該挿入口のどちらかの真下に多列チェーンの一端を接続できる側面を切り欠いた凹部を設けると共に、背面適宜位置には前記挿入口と平行に多列チェーンを挿通できる間隔の背面に対して直立した互いに対向する柱部を有し、該柱部上部に鍔部を設けて略コの字状の部材とすると共に、該部材の外側に配する多列チェーンを締め付ける２個の弾性体から形成されるリング状弾性体とを有してなることを特徴とする輪径調節機能を有する輪状装身具。
【請求項２】
装飾部の表面は装飾可能として、左右の側面に多列チェーンを挿通させる互いに対向する挿入口を設けると共に、該挿入口のどちらかの真下にピンとコイルスプリングを有して取り外し可能な心棒と、上下側面に該心棒を保持する互いに対向する保持孔を設けると共に、前記心棒に多列チェーンの一端に取り付けた環又はパイプを通して多列チェーンを接続すると共に、背面適宜位置には前記挿入口と平行に多列チェーンを挿通できる間隔の背面に対して直立した互いに対向する柱部を有し、該柱部上部に鍔部を設けて略コの字状の部材とすると共に、該部材の外側に配する多列チェーンを締め付ける２個の弾性体から形成されるリング状弾性体とを有してなることを特徴とする輪径調節機能を有する輪状装身具。
【考案の詳細な説明】
【技術分野】
【０００１】
本考案は、指輪、ブレスレット、スカーフの留め具等のサイズを容易に変更できる輪状装身具に関するものである。
【背景技術】
【０００２】
指輪等のサイズを変更できるフリーサイズ機能を有した各種物品が多く提案されている。その中で、複数のパイプ状部材を平行して配置して、しなやかに曲がる事のできるベルト部で構成して、その一端にベルト部が挿通可能な開口部を形成したヘッド部を取り付け、そのヘッド部に挿通されてきたベルト部のパイプを固定する係合爪を設けたサイズ調整可能な指輪がある（例えば特許文献１参照。）。
【０００３】
また、チェーン材の一端の掛け金具が、チェーン材の他端のバックル状の係止板体のフックに引っ掛かることでチェーン材は輪として指輪を形成し、前記フックには奥側のものと先端側のものと複数個あり、いずれに掛け金具を引っ掛けるかを選択することで輪のサイズの調整ができる指輪がある（例えば特許文献３参照。）。
【０００４】
しかし、上記のいずれも段階的に寸法が変えられる機能で有り、無段階でのサイズ変更はできない商品である。一般的に普通サイズと言われている１２番サイズの場合、１１番サイズに１番小さく変更する場合は、円周長さを０.９ｍｍ短くし、１２番を１０番に２番小さく変更する場合は円周長さを１.８ｍｍ短くする必要があり、１２番から１４番と大きいサイズに変更する場合はその分の円周長さを１.８ｍｍ足さなければならない。上記文献の商品の中で複数のパイプ状部材を平行して配置した指輪を例とすれば、仮にパイプの径をφ０.９とした場合、しなやかに曲がらせるにはパイプ同士の間隔が有る程度必要であり、実際に変更できる寸法として０.９ｍｍ以下の変更は不可能であり、サイズ０.５番の変更対応が無理と判断できる。パイプ径を小さくすれば良いが強度的に難が残ることは述べるまでもない。
【０００５】
また、上記のいずれの商品もサイズ変更する機構が目視可能であり、装飾を施すには限界があり、サイズ変更ができると言う機能のみにて装飾性に乏しい欠点がある。
【０００６】
【特許文献１】実用新案登録３０７３０１５号公報
【特許文献２】実開平０４−５６０１２７号公報
【考案の開示】
【考案が解決しようとする課題】
【０００７】
前記事項を鑑み解決しようとする問題点は、無段階のサイズ調節機能にて指輪、ブレスレット、スカーフ留め具等の輪状装身具のサイズ変更を可能とした構造とする共に、該構造を目視できない装飾をも施すことを可能とした装飾性に富んだ商品の提供を目的とする。
【０００８】
また、上記の商品に多列チェーンの交換をも可能とする構造として、その場所、その日の雰囲気にて使用できる趣味性に富んだ商品の提供を目的とする。
【課題を解決するための手段】
【０００９】
本考案は、第一の手段として装飾部の表面は装飾可能として、左右の側面に多列チェーンを挿通させる互いに対向する挿入口を設けると共に、該挿入口のどちらかの真下に多列チェーンの一端を接続できる側面を切り欠いた凹部を設けると共に、背面適宜位置には前記挿入口と平行に多列チェーンを挿通できる間隔の背面に対して直立した互いに対向する柱部を有し、該柱部上部に鍔部を設けて略コの字状の部材とすると共に、該部材の外側に配する多列チェーンを締め付ける２個の弾性体から形成されるリング状弾性体とを有してなることを特徴とする。
【００１０】
本考案は、第二の手段として装飾部の表面は装飾可能として、左右の側面に多列チェーン材を挿通させる互いに対向する挿入口を設けると共に、該挿入口のどちらかの真下にピンとコイルスプリングを有して取り外し可能な心棒と、上下側面に該心棒を保持する互いに対向する保持孔を設けると共に、前記心棒に多列チェーンの一端に取り付けた環又はパイプを通して多列チェーンを接続できると共に、背面適宜位置には前記挿入口と平行に多列チェーンを挿通できる間隔の背面に対して直立した互いに対向する柱部を有し、該柱部上部に鍔部を設けて略コの字状の部材とすると共に、該部材の外側に配する多列チェーンを締め付ける２個の弾性体から形成されるリング状弾性体とを有してなることを特徴とする。
【考案の効果】
【００１１】
本考案の輪径調節機能を有する輪状装身具は、装飾体の背面適宜位置に挿入口と平行に設けた略コの字状の部材に配する２個のリング状弾性体にて多列チェーンを締め付ける機構により装着した状態で装飾体の挿入口より出ている方の多列チェーンの先端を引くことにより無段階にて輪径を小さくすることが可能であり、装飾体と装着物を中間に対向している多列チェーンの部分を引くことにより輪径は大きくすることが可能であり、それにより指輪、ブレスレット、スカーフ留め具等の輪状装身具のサイズを無段階にて自由に調節することが可能となった。
【００１２】
また、装飾部の左右側面に設けた挿入口のどちらかの真下にピンとコイルスプリングを有して取り外し可能な心棒と上下側面に該心棒を保持する互いに対向する保持孔を設けると共に、前記心棒に多列チェーン材の一端部に取り付けた環又はパイプを通して多列チェーンを接続可能としたことで多列チェーンの交換が容易となり、装飾部と多列チェーンの組み合わせにより使用範囲の広い趣味性を持ちあわせた商品となった。
【００１３】
さらに、サイズを無段階にて自由に調節可能としたリング状弾性体を配した略コの字状の部材とする構造を装飾体の中に収納して目視できなくして該装飾体に装飾を施すことで装飾性をも持ちあわせた商品となった。
【考案を実施するための最良の形態】
【００１４】
以下、図面を用いて本考案の実施形態を詳細に説明する。図１〜図３は、本考案の輪径調節機能を有する輪状装身具の第一実施例が指輪を用いて正面図、平面図、要部断面図で表していることを示し、図４は、鍔部７を有する略コの字状の部材８にリング状弾性体９、９ａを配した状態を拡大斜視図で示した。
【００１５】
指輪を構成するのに用いた多列チェーン１０は、貴金属からなる通称ボールチェーンを４本用いて長手方向にそれぞれをロー付けして４列の多列チェーン１０を形成した。
【００１６】
指輪のサイズを調節する機構を配置する装飾部２０は、表面１を装飾可能として左右の側面２、２ａに多列チェーン１０を挿通させる互いに対向する挿入口３、３ａを設けると共に、挿入口３ａの真下に多列チェーン１０の一端を接続できる側面を切り欠いた凹部４を設けて形成した。
【００１７】
そして、装飾部２０の背面５適宜位置には挿入口３，３ａと平行に多列チェーン１０を挿通できる間隔の背面５に対して直立した互いに対向する柱部６、６ａを有し、柱部６、６ａ上部に鍔部７を設けて鍔部７を有する略コの字状とした図４に示す部材８を設けた。
【００１８】
上記に述べた指輪を構成する多列チェーン１０の一端を装飾部２０の側面を切り欠いた凹部４にロー付け等により接続した後、部材８の柱部６、６ａを囲むようにリング状弾性体９、９ａの２個を配置し、多列チェーン１０の他端を装飾部２０に設けた挿入口３より、リング状弾性体９と９ａの間、挿入口３ａの順に挿入し、そして、挿入口３ａより出てきた多列チェーン１０の他端に抜け防止部１１を取り付けることにより、多列チェーン１０を装飾部２０から抜け出るのを防止できるようにした。実施にあたって、抜け防止部１１には装飾とした宝石１２を石留めした。
【００１９】
上記構成により、多列チェーン１０は、柱部６、６ａを介して鍔部７と背面５の間に配置されたことによるリング状弾性体９と９ａの押し圧力の弾性により締め付けられる状態にて動きが制御される。
【００２０】
図５、図６は、第二実施例が指輪を用いて正面図、要部断面図で表していることを示し、図７は取り外し可能な心棒１３の拡大断面図及び心棒１３に環１５を挿通した状態の拡大斜視図で示した。
【００２１】
図５〜図６は、第一実施例の挿入口３ａの真下に多列チェーン１０１０の一端部を接続できる側面を切り欠いた凹部４の変わりに、装飾部２０の上下側面１８、１８ａに挿入口３ａの真下に取り外し可能な構造を有する心棒１３と該心棒を保持する互いに対向する保持孔１４、１４ａを設けると共に、心棒１３に多列チェーン１０の一端に取り付けた環１５〜１５ｃを通して多列チェーン１０を接続できる構造としたことを示す。
【００２２】
図７（Ａ）は、取り外しが可能な心棒１３の拡大断面図であり、心棒１３は、ピン１６、１６ａと、コイルスプリング１７とからなる構成にて、装飾部２０の上下側面１８、１８ａに設けた保持孔１４、１４ａより取り外し可能としたことにより多列チェーン１０の交換を可能とした。
【００２３】
図７（Ｂ）は、心棒１３に環１５〜１５ｃを挿通した状態の拡大斜視図で、多列チェーン１０の取り外しを可能として多列チェーン１０の交換をもできる。
【００２４】
図８は、３列にした多列チェーン１０を用いて装飾部２０の表面１に装飾とした宝石を石留めし、多列チェーン材１０の他端には丸玉を用いて抜け防止部１１として輪径調節機能を有する輪状装身具を形成した斜視図を示し、指輪、スカーフの留め具兼用として使用可能であり、ブレスレットとして使用したい場合は、ブレスレット用に寸法を長くした多列チェーン１０に交換可能とした。
【図面の簡単な説明】
【００２５】
【図１】輪径調節機能を有する輪状装身具の第一実施例を示す正面図ある。
【図２】輪径調節機能を有する輪状装身具の第一実施例を示す平面図ある。
【図３】図２の装飾部を断面図で示す。
【図４】略コの字状の部材にリング状弾性体を配した状態を示す要部拡大斜視図である。
【図５】輪径調節機能を有する輪状装身具の第二実施例を示す正面図ある。
【図６】図５の装飾部を断面図で示す。
【図７】取り外しが可能な心棒の拡大断面図及び心棒に環を挿通した状態の拡大斜視図である。
【図８】本考案の一実施形態を示す斜視図である。
【符号の説明】
【００２６】
１    表面
２    側面
３    挿入口
４    凹部
５    背面
６    柱部
７    鍔部
８    部材
９    リング状弾性体
１０    多列チェーン
１１    抜け防止部
１２    宝石
１３    心棒
１４    保持孔
１５    環
１６    ピン
１７    コイルスプリング
１８    上下側面
２０    装飾部
【図１】
0003109556.tif 000003
【図２】
0003109556.tif 000004
【図３】
0003109556.tif 000005
【図４】
0003109556.tif 000006
【図５】
0003109556.tif 000007
【図６】
0003109556.tif 000008
【図７】
0003109556.tif 000009
【図８】
0003109556.tif 000010
【手続補正書】
【提出日】平成16年12月27日(2004.12.27)
【手続補正１】
【補正対象書類名】明細書
【補正対象項目名】０００６
【補正方法】変更
【補正の内容】
【０００６】
【特許文献１】登録実用新案第３１０１８４９号公報
【特許文献２】実開平０４−５６０１２７号公報
【手続補正書】
【提出日】平成17年1月5日(2005.1.5)
【手続補正１】
【補正対象書類名】明細書
【補正対象項目名】０００３
【補正方法】変更
【補正の内容】
【０００３】
また、チェーン材の一端の掛け金具が、チェーン材の他端のバックル状の係止板体のフックに引っ掛かることでチェーン材は輪として指輪を形成し、前記フックには奥側のものと先端側のものと複数個あり、いずれに掛け金具を引っ掛けるかを選択することで輪のサイズの調整ができる指輪がある（例えば特許文献２参照。）。
【手続補正２】
【補正対象書類名】明細書
【補正対象項目名】００２５
【補正方法】変更
【補正の内容】
【００２５】
【図１】輪径調節機能を有する輪状装身具の第一実施例を示す正面図である。
【図２】輪径調節機能を有する輪状装身具の第一実施例を示す平面図である。
【図３】図２の装飾部を断面図で示す。
【図４】略コの字状の部材にリング状弾性体を配した状態を示す要部拡大斜視図である。
【図５】輪径調節機能を有する輪状装身具の第二実施例を示す正面図である。
【図６】図５の装飾部を断面図で示す。
【図７】取り外しが可能な心棒の拡大断面図及び心棒に環を挿通した状態の拡大斜視図である。
【図８】本考案の一実施形態を示す斜視図である。